(57)【要約】【課題】折り目の位置ずれを少なくすること。【解決手段】シート処理装置は、上流から下流に順に配置されて、共通のシートを搬送及び搬送停止可能なレジスト補助ローラ対５１とレジストローラ対５２とに跨って搬送を停止されたシートを、シート搬送方向に対して交差する方向に突いて、シートに折り目を付ける突き板６２と、突き板によって突かれたシートを、レジスト補助ローラ対と突き板との間で受け止めるシート受けローラ６６と、を備えている。突き板とシート受けローラは、レジストローラ対よりもレジスト補助ローラ対の近くに配置され、レジストローラ対は、突き板によって突かれたシートが引き出されないように、回転停止してシートを保持可能であり、レジスト補助ローラ対は、突き板によって突かれたシートが引き出されるのを許容する方向に回転可能である。【選択図】図２
2013133189.tif 000002
【特許請求の範囲】
【請求項１】
シート搬送路の上流から下流に順に配置されて、共通のシートを搬送及び搬送停止可能な１対の回転体対と、
前記１対の回転体対に跨って搬送を停止されたシートを、シート搬送方向に対して交差する方向に突いて、シートに折り目を付ける突き手段と、
前記突き手段によって突かれたシートを、前記１対の回転体対の内、一方の回転体対と前記突き手段との間で受け止める受け止め部材と、を備え、
前記突き手段と前記受け止め部材は、前記１対の回転体対の内、他方の回転体対よりも前記一方の回転体対の近くに配置され、
前記１対の回転体対の内、他方の回転体対は、前記突き手段によって突かれたシートが引き出されないように、回転停止してシートを保持可能であり、
前記一方の回転体対は、前記突き手段によって突かれたシートが引き出されるのを許容する方向に回転可能である、
ことを特徴とするシート処理装置。
【請求項２】
前記受け止め部材は、前記一方の回転体対の円弧面よりも曲率半径が小さい円弧面でシートを受け止める、
ことを特徴とする請求項１に記載のシート処理装置。
【請求項３】
前記一方の回転体対は、前記他方の回転体対の上流側に配置されている、
ことを特徴とする請求項１又は２に記載のシート処理装置。
【請求項４】
前記他方の回転体対は、シートの斜行を補正するレジストローラ対である、
ことを特徴とする請求項３に記載のシート処理装置。
【請求項５】
前記突き手段と前記受け止め部材は、前記シート搬送路の両側に各々設けられている、
ことを特徴とする請求項１又は２に記載のシート処理装置。
【請求項６】
シートの画像を形成する画像形成部と、
画像を形成されたシートに折り目を付ける請求項１乃至５のいずれか１項に記載のシート処理装置と、を備えた、
ことを特徴とする画像形成装置。
【発明の詳細な説明】
【技術分野】
【０００１】
本発明は、シートに折り目を付けるシート処理装置と、このシート処理装置を装置本体に備えた画像形成装置とに関する。
【背景技術】
【０００２】
従来、シートに折り目を付けるシート処理装置として、特許文献１に記載のものがある。このシート処理装置は、突き当て部材で突いて、Ｕ字状に形成したシートを、１対のローラのニップ近傍まで接近させて、ニップで引き込み、ニップでＵ字状のシートを押し潰すようにして挟持しながら搬送して折り目を付けるようになっている。このため、Ｕ字状に形成されたシートは、１対のローラとの摩擦によって１対のローラのニップに引き込まれるようになっている。
【先行技術文献】
【特許文献】
【０００３】
【特許文献１】特開２００４−２７７０３６号公報
【発明の概要】
【発明が解決しようとする課題】
【０００４】
しかし、従来のシート処理装置は、Ｕ字状のシートが１対のローラの両方のローラに均等に接触することができない場合がある。また、シートのＵ字状の部分と１対のローラとの摩擦が異なる場合がある。これらの場合、１対のローラのニップがシートのＵ字状の部分を均等に引き込むことができないで、シートの折り目の位置がずれることがあった。
【０００５】
本発明は、折り目の位置ずれを少なくして折り目を付けるシート処理装置と、このシート処理装置を備えた画像形成装置とを提供することを目的としている。
【課題を解決するための手段】
【０００６】
本発明のシート処理装置は、シート搬送路の上流から下流に順に配置されて、共通のシートを搬送及び搬送停止可能な１対の回転体対と、前記１対の回転体対に跨って搬送を停止されたシートを、シート搬送方向に対して交差する方向に突いて、シートに折り目を付ける突き手段と、前記突き手段によって突かれたシートを、前記１対の回転体対の内、一方の回転体対と前記突き手段との間で受け止める受け止め部材と、を備え、前記突き手段と前記受け止め部材は、前記１対の回転体対の内、他方の回転体対よりも前記一方の回転体対の近くに配置され、前記１対の回転体対の内、他方の回転体対は、前記突き手段によって突かれたシートが引き出されないように、回転停止してシートを保持可能であり、前記一方の回転体対は、前記突き手段によって突かれたシートが引き出されるのを許容する方向に回転可能である、ことを特徴としている。
【０００７】
本発明の画像形成装置は、シートの画像を形成する画像形成部と、画像を形成されたシートに折り目を付ける上記のシート処理装置と、を備えた、ことを特徴としている。
【発明の効果】
【０００８】
シート処理装置は、突き手段と受け止め部材が、他方の回転体対よりも一方の回転体対の近くに配置されている状態で、突き手段によってシートを突くようになっており、他方の回転体対が突き手段によって突かれたシートを保持するようになっている。このため、シート処理装置は、一方の回転体側のシートの部分が突き手段に接近し、他方の回転体対側のシートの部分が突き手段から離れた状態で、シートに折り目を付けることになる。したがって、シート処理装置は、突き手段に接近している、一方の回転体側のシートの部分に折り目を付けることになり、ローラ対のニップでシートを折り曲げることなく、折り目の位置ずれを少なくしてシートに折り目を付けることができる。
【０００９】
画像形成装置は、折り目の位置ずれを少なくしてシートに折り目を付けるシート処理装置を備えているので、画像の部分で折り曲げられることによって、再度、シートに画像を形成することがなく、画像形成効率を向上させることができる。
【図面の簡単な説明】
【００１０】
【図１】本発明の実施形態におけるシート処理装置と、シート処理装置を装置本体に設けた画像形成装置との断面概略図である。
【図２】図１における、折り目付けユニットの拡大正面図である。
【図３】折り目付けユニットの動作説明用の図である。（Ａ）は、折り目付けユニットにシートが搬入された状態の図である。（Ｂ）は、突き板がシートを一方の側から突いている状態の図である。（Ｃ）は、突き板がシートを他方の側から突いている状態の図である。
【図４】折り目付けユニットの拡大図である。
【図５】図２と他の形態の折り目付けユニットの概略図である。
【図６】折り目を付けられたシートの図である。（Ａ）は、折り目が１箇所の図である。（Ｂ）は、折り目が２箇所の図である。
【図７】動作説明用のフローチャートである。
【図８】制御部に対する各モータと各センサとの接続ブロック図である。
【発明を実施するための形態】
【００１１】
以下、本発明の実施の形態におけるシート処理装置と、このシート処理装置を装置本体に備えた画像形成装置とを図面に基づいて説明をする。なお、本実施形態において取り上げる数値は、参考数値であり、本発明を限定する数値ではない。
【００１２】
図１は、本発明の実施の形態におけるシート処理装置を装置本体に備えた画像形成装置のシート搬送方向に沿った断面図である。
【００１３】
画像形成装置Ａは、画像形成装置Ａの装置本体Ａ１、装置本体Ａ１の側方に接続されたシート処理装置Ｂ、装置本体Ａ１の上部に設けられた画像読取装置１１等で構成されている。なお、画像読取装置１１は、必ずしも必要としない。
【００１４】
画像形成装置本体Ａ１は、画像形成部２と給紙部１とを備え、給紙部１からシートＰを画像形成部２に送り、画像形成部２でシートに画像を形成した後、排紙口３から排出するようになっている。給紙部１は、給紙カセット１ａ，１ｂに収納された複数サイズのシートＰのうち、指定されたシートＰを１枚ずつ分離して画像形成部２に給送するようになっている。画像形成部２は、例えば感光体ドラム４と、その周囲に配置された印字ヘッド（レーザ発光器）５と、現像器６と、転写チャージャ７と、定着器８等を備えている。
【００１５】
画像読取装置１１は、プラテン１２上にセットした原稿をスキャンユニット１３で走査し、図示しない光電変換素子で電気的に読み取るようになっている。また、画像読取装置１１は、積載トレイ１６に収容した原稿Ｇをプラテン１２に給送するフィーダ装置１５を備えており、フィーダ装置により、原稿Ｇをプラテンに搬送し、スキャンユニット１３を走査することにより、原稿画像を読み取るようにもなっている。画像読取装置１１が読み取った画像データは、画像処理部で、例えばデジタル処理された後、データ記憶部１４に転送されて、レーザ発光器５に画像信号を送られる。
【００１６】
そして、レーザ発光器５は、受け取った画像信号に応じてレーザ光を感光体ドラム４上に照射して感光体ドラム４上に静電潜像を形成する。この静電潜像は、現像器６でトナー現像されて、トナー画像になる。この後、トナー画像は、転写チャージャ７によってシートに転写される。トナー画像が転写されたシートＰは、定着器８で加熱加圧されて、トナー画像が定着される。このようにして、トナー画像が定着されたシートＰは、排紙口３から順次、シート処理装置Ｂに搬出される。
【００１７】
なお、図１において、循環経路９は、シートの両面に画像を形成する際、定着器８から表面側に画像形成されたシートＰを、定着器８からスイッチバック経路１０で表裏反転して、再び画像形成部２に給送し、シートＰの裏面側に画像形成するための経路である。循環経路９によって、両面に画像を形成されたシートＰは、この後、排紙口３からシート処理装置Ｂに搬出される。
【００１８】
シート処理装置Ｂは、トレイ２１ａ，２１ｂ，２１ｃ及び２２と、トレイ２１ｂ，２１ｃを昇降させるトレイ昇降装置２３、端綴じステイプラ３１、折り目付けユニット３２、製本装置３５及びパンチユニット３６等を備えている。製本装置３５は、中綴じステイプラ３３とシート折り部３４とで構成されている。なお、シート処理装置Ｂは、オプションとして装置本体Ａ１に離脱できるように接続されているが、装置本体Ａ１内に組み込まれていてもよい。
【００１９】
折り目付けユニット３２を説明する。
【００２０】
折り目付けユニット３２は、図６に示すように、シートＰに折り目を１箇所、又は互いに平行に２箇所付けることができるようになっている。折り目を付けられたシートは、シート折り部３４でシートを折り曲げ易くなる。
【００２１】
図２は、折り目付けユニット３２の正面図である。
【００２２】
折り目付けユニットは、シート搬送路４１の上流から下流に順に配置されて、共通のシートを搬送及び搬送停止可能な１対の回転体対の一方の回転体対としてのレジスト補助ローラ対５１及び他方の回転体対としてのレジストローラ対５２を備えている。レジスト補助ローラ対５１は、駆動ローラ５１ａと従動ローラ５１ｂとで形成されている。レジストローラ対５２も、駆動ローラ５２ａと従動ローラ５２ｂとで形成されている。
【００２３】
シート搬送路４１は、左右の側壁４２，４３で形成されている。側壁４２，４３の上流側のレジスト補助ローラ対５１と下流側のレジストローラ対５２との間の部分は、後述する突き板６２が横切ることができるように、途切れている。そして、シート搬送路４１の途切れた部分の下流側の部分は、左右の側壁４２，４３の間隔Ｌ１を他の部分の間隔Ｌ２より広くして、突き板６２に突かれたシートが側壁４２，４３に接触しないようになっている。
【００２４】
レジスト補助ローラ対５１とレジストローラ対５２との間には、シートに折り目を付ける突き手段としての突き部６１が設けられている。突き部６１は、レジスト補助ローラ対５１及びレジストローラ対５２に跨って搬送を停止されたシートを、シート搬送方向（矢印Ｙ）に対して交差する方向（矢印Ｘ）に突き板６２で突いて、シートに折り目を付けるようになっている。
【００２５】
突き部６１は、突き板６２、突き板６２に形成されたラック６４、ラック６４に噛合するピニオン６５、及びピニオン６５を回転させる突き板モータＭ１等で構成されている。なお、ラック６４、ピニオン６５、モータを使用することなく、プランジャで突き板６２を作動させてもよい。
【００２６】
レジスト補助ローラ対５１と突き部６１との間には、突き部６１によって突かれたシートを受け止める受け止め部材としてのシート受けローラ６６が設けられている。シート受けローラ６６は、シート搬送路４１の側壁４２，４３に設けられた取り付け部材４４，４５に回転自在に設けられている。なお、シート受けローラ６６は、回転しないで、固定されていてもよい。また、シート受けローラ６６の代わりに、シートを受け止める面が円弧状に形成された部材を使用してもよい。そして、シート受けローラ６６及び円弧状の部材の円弧面は、レジスト補助ローラ対５１のローラの円弧面よりも曲率半径が小さく形成されている。
【００２７】
突き板６２とシート受けローラ６６は、レジストローラ対５２よりもレジスト補助ローラ対５１の近くに配置されている。また、突き板６２は、シート受けローラ６６の下流側近傍に位置している。突き板６２の上面とシート受けローラ６６との隙間Ｄ（図２）は、厚紙のシートの厚みよりやや広い程度である。
【００２８】
レジストローラ対５２の近くには、シートの先端を検知してレジストローラ対５２を回転制御するための上流シート検知センサＳ１が設けられている。上流シート検知センサＳ１は、シートの先端に押されて回動するフラグ６７の遮蔽片６９によって遮蔽されるようになっている。フラグ６７は、突き板６２とレジストローラ対５２との間に設けられている。フラグ６７は、フラグ軸６８にシート搬送方向に回転自在に設けられ、通常、遮蔽片６９でセンサＳ１を遮って、シート搬送路４１に突出しており、シートに押されて、シート搬送方向（矢印Ｙ方向）に回転するようになっている。レジストローラ対５２の下流側にも、シートの先端を検知してレジストローラ対５２を回転制御するための下流シート検知センサＳ２が設けられている。
【００２９】
図１、図８において、制御部２００は、画像形成装置の装置本体の制御部１９９（図１）と信号の授受をして、シート処理装置Ｂを制御するようになっている。制御部２００には、突き板モータＭ１、レジスト補助ローラ対用モータＭ２、レジストローラ対用モータＭ３、上流シート検知センサＳ１、下流シート検知センサＳ２及び突き板ホームポジションセンサＳ３が接続されている。なお、制御部２００と装置本体の制御部１９９は、いずれか一方が他方に組み込まれて、シート処理装置Ｂと装置本体Ａ１との一方に設けられていてもよい。
【００３０】
以上の構成において、折り目付けユニット３２は、シートが搬送されてくると、そのシートを、レジスト補助ローラ対５１でレジストローラ対５２へ搬送する（Ｓ１０１）。シートは、レジストローラ対５２に搬送される途中において、上流シート検知センサＳ１によって先端を検知される（Ｓ１０３）。そして、シートは、回転を継続しているレジスト補助ローラ対５１によって搬送を継続され、回転を停止しているレジストローラ対５２のニップに押し付けられて、斜行している場合、真っ直ぐに補正される（Ｓ１０５）。
【００３１】
上流シート検知センサＳ１がシートを検知してから、シートの斜行が補正された頃のタイミングで、制御部２００は、レジストローラ対用のモータＭ３を始動させて、レジストローラ対５２を回転させる（Ｓ１０５）。シートは、レジスト補助ローラ対５１と、レジストローラ対５２とによって搬送される。
【００３２】
その後、シートは、先端を下流シート検知センサＳ２によって検知される（Ｓ１０７）。下流シート検知センサＳ２がシートを検知すると、制御部２００は、シートの折り目を付けられる部分が突き板６２の先端と対向すると（Ｓ１０８）、レジスト補助ローラ対用のモータＭ２と、レジストローラ対用のＭ３との回転を停止させる（Ｓ１０９）。これによって、レジスト補助ローラ対５１とレジストローラ対５２との回転も停止して、シートの搬送が停止される。この場合、制御部２００は、図６（Ａ）のように、シートに折り目を１箇所入れる場合には、１箇所の折り目Ｐａの部分を突き板の先端に対向させる。また、図６（Ａ）のように、シートに折り目を２箇所入れる場合には、１箇所目の折り目Ｐｂの部分を突き板の先端に対向させる。
【００３３】
その後、制御部２００は、突き板モータＭ１を始動させて、図３（Ａ）に示す左側の突き板６２をホームポジションから前進させ、右側の突き板６２をホームポジションから後退させ（図３（Ｂ））、左側の突き板６２でシートを突く。このとき、シートを保持可能なレジストローラ対５２は、突き板６２によって突かれたシートが引き出されないように、回転停止してシートを保持している。このため、レジスト補助ローラ対５１は、シートが突き板６２によって突かれた分だけ、シートが引き出されるのを許容する方向に回転をする。これによって、突き板６２で突かれたシートは、図３（Ｂ）に示すように、右側に屈曲して折り目を突き板６２によって付けられる。なお、左右の突き板６２のホームポジションは、突き板の先端が突き板ホームポジションセンサＳ３に検知される位置である。
【００３４】
レジスト補助ローラ対５１とレジスト補助ローラ対用のモータＭ２との間には、一方向回転クラッチＫが設けられている（図２）。一方向回転クラッチＫは、モータＭ２の回転をレジスト補助ローラ対５１に伝達するが、レジスト補助ローラ対５１の回転をモータＭ２に伝達しないようになっている。したがって、レジスト補助ローラ対５１が、シートに引かれて、矢印Ｚ方向に回転しても、モータＭ２を回転させることがなく、レジスト補助ローラ対５１は、円滑に回転して、シートの引き出しに支障を与えないようにしている。なお、レジスト補助ローラ対５１のローラは、スラスト方向の全長に連続して形成されているのではなく、一定の間隔に分けて形成されている。
【００３５】
その後、図３（Ｃ）のように、左側の突き板６２が後退して、右側の突き板６２が前進してシートに折り目を付ける（Ｓ１１３）。このように、シートの両面を突き板６２が突くことによって、シートに折り目Ｐａを確実に付けることができる。
【００３６】
なお、左右の突き板６２は、別々に左右に移動するようになっているが、連結されて一体化された状態で左右に移動するようになっていても良い。このようにすると、左側の突き板６２が右に前進すると、おのずと、右側の突き板が右に後退することになる。そして、ラックは左右いずれか一方の突き板に形成すればよいので、ラック６４、ピニオン６５、突き板モータＭ１を１つで済む。さらに、突き板ホームポジションセンサＳ３も１つで済む。
【００３７】
また、必ずしも、シートの両面を突く必要が無い。片面だけでもよい。このため、突き板６２とシート受けローラ６６は、シート搬送路の両側に設けることなく、片側だけに設けられていてもよい。
【００３８】
その後、制御部は、図６（Ｂ）のように、シートにもう１箇所（Ｐｃ）、折り目を付けるか否かを判断する（Ｓ１１５）。制御部２００は、シートに、もう１箇所、折り目を付けない場合（Ｓ１１５でＮＯ）、シートを搬送して（Ｓ１１９）、最後のシートまで同じ動作を繰り返す（Ｓ１２１）。
【００３９】
処理Ｓ１１５で、シートに、もう１箇所（Ｐｃ）、折り目を付ける場合（Ｓ１１５でＹＥＳ）、制御部は、折り目の間隔（ＬＰ）分だけ、シートを搬送して（Ｓ１１７）、処理Ｓ１０９に戻る。そして、２箇所目の折り目を付けた後、処理Ｓ１１５でＮＯ、Ｓ１１９を経て、最後のシートまで同じ動作を繰り返す（Ｓ１２１）。
【００４０】
次に、シートの折り目を付けるとき、シートと突き板との間に生じる滑りを突き位置を修正した突き動作を図４に基づいて説明する。
【００４１】
図４において、レジストローラ対５２のニップから、シート搬送路に突出した突き板６２の上面までの距離をｄとする。突き板６２は、先端がシート受けローラ６６の中心の真下の位置するまで移動するものとする。シート受けローラ６６の半径をｂとする。１対のシート受けローラ６６の間隔をｅとする。突き板６２に突かれたシートとシート搬送路の中心線ＣＬとの間の角度をθとする。
【００４２】
図４において、シートは、回転停止しているレジストローラ対５２に保持されて、シート搬送路の中心線ＣＬ上に停止している。このため、突き板６２がシートを突いてから、距離（ｂ＋（ｅ／２）だけ移動して、シートが角度θだけ傾いたとき、突き板６２がシートに接触している位置が、式（１）、（２）によって算出した距離Ｌだけずれる。また、角度θだけ傾いたシートに突き板６２が接触している部分が折り目になる。
θ＝ｓｉｎ−１（ｂ＋（ｅ／２）／ｄ）      式（１）
Ｌ＝ｄ−ｄ＊ＣＯＳθ                    式（２）
【００４３】
このため、制御部２００は、シートが搬送路を搬送され、シートに付ける折り目の部分が、式（１）（２）で求めた距離Ｌだけ、突き板６２より上流に位置したとき、レジスト補助ローラ対５１とレジストローラ対５２でシートの搬送を停止させる。距離Ｌは、ユーザ自身が算出してもよいし、制御部２００で算出してもよい。その後、図４に示すように、制御部２００は、突き板６２を左に移動させて、シートを突く。このとき、シートは、突き板６２に突かれて、レジスト補助ローラ対５１から引き出される。この引き出される長さが、式（１）（２）で求めた距離Ｌに相当する。このように、突き板６２でシートを突くことによって、突き板６２がシートに接触する位置がずれるのを、距離Ｌだけ考慮してシートの搬送を止めるようになっているので、シートに折り目を従来よりも正確な位置に付けることができる。
【００４４】
また、突き板６２とシート受けローラ６６が、レジストローラ対５２よりもレジスト補助ローラ対５１の近くに配置されているので、シートの傾き角度θは、小さい。このため、主に、突き板６２の先端の上縁６２ａで折り目を付けることができる。さらに、突き板６２とシート受けローラ６６との隙間Ｄ（図２）が、厚紙のシートの厚みよりやや広い程度であるので、シートが突き板６２の上面に沿って、主に、突き板６２の先端の上縁６２ａで折り曲げられる。このようなことから、シートの折り目を突き板６２の先端の上縁６２ａで正確に付けることができる。
【００４５】
なお、図６（Ｂ）に示すように、シートに間隔ＬＰの折り目を２箇所平行に付ける場合、１箇所目の折り目を式（１）（２）に基づいて、距離Ｌのずれを考慮して付けた後、シートを間隔ＬＰの分だけ搬送して、２箇所目の折り目をシートに付ける。この場合においても、シートに折り目を従来よりも正確に付けることができる。しかも、シートを、２箇所の折り目の間隔ＬＰ分だけ搬送すればよいので、簡単な折り目付け動作でシートに折り目を付けることができる。
【００４６】
以上の折り目付けユニットのシート受けローラ６６と突き部の突き板６２は、上流のレジスト補助ローラ対５１の近くに配置されているが、図５の折り目付けユニット１３２のように、下流のレジストローラ対５２の近くに配置されていてもよい。この場合、受け止め部材としてのシート受けローラ６６は、回転可能な一方の回転体対としてのレジストローラ対５２と突き板６２との間に設けられている。また、回転可能な他方の回転体対としてのレジスト補助ローラ対５１で、突き板６２に突かれたシートを保持し、一方向回転クラッチＫによって、レジストローラ対５２で、突き板６２に突かれたシートを逃がすようになっている。一方向回転クラッチＫは、レジストローラ対５２とレジストローラ対用のモータＭ３との間に設けてある。
【００４７】
図５において、レジスト補助ローラ対５１のニップからシート搬送路に突出した突き板６２の下面までに距離をｆとする。突き板６２は、先端がシート受けローラ６６の中心の真下の位置に移動するものとする。シート受けローラ６６の半径をｂとする。１対のシート受けローラ６６の間隔をｅとする。突き板６２に突かれたシートとシート搬送路の中心線ＣＬとの間の角度をθとする。
【００４８】
図５の折り目付けユニット１３２において、シートは、回転停止しているレジスト補助ローラ対５１に保持されて、シート搬送路の中心線ＣＬ上に停止している。このため、突き板６２がシートを突いてから、距離（ｂ＋（ｅ／２）だけ移動して、シートが角度θだけ傾いたとき、突き板６２がシートに接触している位置が、式（３）、（４）によって算出した距離Ｌだけずれる。また、角度θだけ傾いたシートに突き板６２が接触している部分が折り目になる。
θ＝ｓｉｎ−１（ｂ＋（ｅ／２）／ｆ）      式（３）
Ｌ＝ｆ−ｆ＊ＣＯＳθ                    式（４）
【００４９】
このため、制御部２００は、シートが搬送路を搬送され、シートに付ける折り目の部分が、式（３）（４）で求めた距離Ｌだけ、突き板６２の上流に位置したとき、レジスト補助ローラ対５１とレジストローラ対５２でシートの搬送を停止させる。距離Ｌは、ユーザ自身が算出してもよいし、制御部２００で算出してもよい。その後、シートは、突き板６２に突かれて、矢印Ｗ方向に回転するレジストローラ対５２から引き出される。この引き出される長さが、式（３）（４）で求めた距離Ｌに相当する。このように、突き板６２でシートを突くことによって、突き板６２がシートに接触する位置ずれを、距離Ｌだけ考慮してシートの搬送を止めるようになっているので、シートに折り目を従来よりか正確に付けることができる。この場合においても、シートに折り目を従来よりも正確な位置に付けることができる。
【００５０】
画像形成装置は、折り目の位置ずれを少なくしてシートに折り目を付けるシート処理装置を備えているので、画像の部分で折り曲げられることによって、再度、シートに画像を形成することがなく、画像形成効率を向上させることができる。
【符号の説明】
【００５１】
２：画像形成部、１１：画像読取装置、３１：端綴じステイプラ、３２，１３２：折り目付けユニット、３３：中綴じユニット、３４：シート折り部、３５：製本装置、３６：パンチユニット、５１：レジスト補助ローラ対（１対の回転体対、一方の回転体対、他方の回転体対）、５２：レジストローラ対（１対の回転体対、他方の回転体対、一方の回転体対）、６１：突き部、６２：突き板、６２ａ：突き板の上縁、６４：ラック、６５：ピニオン、６６：シート受けローラ（受け止め部材）、７１：制御部、
Ｐ：シート、Ｐａ、Ｐｂ、Ｐｃ：折り目、Ａ：画像形成装置、Ａ１：画像形成装置の装置本体、Ｂ：シート処理装置、Ｍ１：突き板モータ、Ｍ２：レジスト補助ローラ対用のモータ、Ｍ３：レジストローラ対用のモータ、Ｓ１：上流シート検知センサ、Ｓ２：下流シート検知センサ、Ｋ：一方向回転クラッチ、Ｇ：隙間、Ｌ１、Ｌ２：シート搬送路の左右側壁の間隔、ＬＰ：間隔。
【図１】
2013133189.tif 000003
【図２】
2013133189.tif 000004
【図３】
2013133189.tif 000005
【図４】
2013133189.tif 000006
【図５】
2013133189.tif 000007
【図６】
2013133189.tif 000008
【図７】
2013133189.tif 000009
【図８】
2013133189.tif 000010